(57)【要約】【課題】端末の開閉によるアンテナ特性劣化を抑止することが可能な無線端末装置を提供する。【解決手段】第１筐体２と第２筐体３は、連結部４により開閉可能に連結されるが、後で詳述するように、本実施形態の第１筐体２と第２筐体３は内部にグランド導体層が形成された回路基板をそれぞれ有し、第１筐体２と第２筐体３内に配置され回路基板のグランド導体層同士を、連結部４内を通したグランド導体、具体的には信号線を絶縁体で被覆した細線同軸ケーブルにより接続してあり、連結部４は一部に導電部材４ａを含み、グランド導体としての細線同軸ケーブル１２が導電部材４ａに接触するように構成されている。【選択図】図３
2006157283.tif 000002
【特許請求の範囲】
【請求項１】
内部にグランド導体層が形成された回路基板をそれぞれ有する第１筐体および第２筐体と、
上記第１筐体および第２筐体の端部同士を開閉可能に連結する連結部と、
上記第１筐体および第２筐体のうちの一方の筐体内でかつ上記連結部と反対側の端部に配置された内蔵アンテナと、
上記第１筐体および第２筐体内にそれぞれ配置された上記回路基板のグランド導体層同士を電気的に接続するグランド導体と、を有し、
上記連結部の一部は導電部材を含み、上記グランド導体を上記導電部材に接触させてある
ことを特徴とする無線端末装置。
【請求項２】
上記第１の筐体には第１の電気／音響変換手段が配置され、
上記第２の筐体には第２の電気／音響変換手段が配置されている
ことを特徴とする請求項１に記載の無線端末装置。
【請求項３】
上記内蔵アンテナは上記第１の筐体に配置され、
上記第１の電気／音響変換手段はマイクロフォン部であり、
上記第２の電気／音響手段はスピーカ部である
ことを特徴とする請求項２に記載の無線端末装置。
【発明の詳細な説明】
【技術分野】
【０００１】
本発明は、携帯電話機等の無線端末装置に関するものであり、より詳細には、二つの筐体を開閉可能に連結し、一方の筐体内にアンテナを内蔵した無線端末装置に関するものである。
【背景技術】
【０００２】
近年、第１筐体と、第２筐体と、これら第１筐体および第２筐体とを回動可能に連結するヒンジ部とを備え、両筐体が開閉可能に構成された携帯電話機や無線機能を有するＰＤＡ等の携帯可能な無線端末装置が普及している。
【０００３】
ところで、近年、無線端末装置に対してデザイン性が要求されるようになるとともに、アンテナの小型化に伴い、これまで筐体外部に突出していたアンテナに代えて、無線端末装置を形成する第１筐体または第２筐体内にアンテナを配置するようにしたものが提案されている（たとえば特許文献１参照）。
この特許文献１に記載の無線端末装置は、内蔵アンテナを配置する場合、電波が遮断されないようにするために２つの筐体を連結する連結部と反対側の筐体端部に内蔵アンテナを配置するようになっている。
【特許文献１】実開平４−１１０００７号公報
【発明の開示】
【発明が解決しようとする課題】
【０００４】
しかしながら、たとえば折り畳み式の無線端末装置のように、閉状態では２つの筐体を重ね合わせることができ、開状態では両筐体の対向面を外部に露出させることができる構造を有するものでは、開状態でのアンテナ特性として、外部アンテナを有する無線端末装置のアンテナ特性と同等レベルの性能が得られ難いといった課題があった。
【０００５】
本発明の目的は、端末の開閉によるアンテナ特性劣化を抑止することが可能な無線端末装置を提供することにある。
【課題を解決するための手段】
【０００６】
本発明の第１の観点は、内部にグランド導体層が形成された回路基板をそれぞれ有する第１筐体および第２筐体と、上記第１筐体および第２筐体の端部同士を開閉可能に連結する連結部と、上記第１筐体および第２筐体のうちの一方の筐体内でかつ上記連結部と反対側の端部に配置された内蔵アンテナと、上記第１筐体および第２筐体内にそれぞれ配置された上記回路基板のグランド導体層同士を電気的に接続するグランド導体と、を有し、上記連結部の一部は導電部材を含み、上記グランド導体を上記導電部材に接触させて無線端末装置を構成したことを特徴とする。
【０００７】
好適には、上記第１の筐体には第１の電気／音響変換手段が配置され、上記第２の筐体には第２の電気／音響変換手段が配置されている。
【０００８】
好適には、上記内蔵アンテナは上記第１の筐体に配置され、上記第１の電気／音響変換手段はマイクロフォン部であり、上記第２の電気／音響手段はスピーカ部である。
【発明の効果】
【０００９】
本発明によれば、無線端末装置の開閉によるアンテナ特性劣化を抑止することができる。
【発明を実施するための最良の形態】
【００１０】
以下、本発明の実施形態を添付図面に関連付けて説明する。
【００１１】
図１および図２は、本発明の無線端末装置としての携帯電話機の一実施形態を示す外観斜視図である。図１は開状態を、図２は閉状態を示している。
【００１２】
携帯電話機１は、第１筐体２と、第２筐体３とを備え、第１筐体２の端部２ａと、第２筐体３の端部３ａとを連結部（ヒンジ部）４により回動可能に連結することにより、開閉可能に構成されている。
【００１３】
第１筐体２および第２筐体３は、閉状態で互いに対向する面（正面）側の正面側ケース２ｃ、３ｃと、その背面側の背面側ケース２ｄ、３ｄとをそれぞれ備えている。これら正面側ケース２ｃ、３ｃは、閉状態で一方の筐体側から他方の筐体側を見たときの互いに対向する面の輪郭が略一致するように形成されており、第１筐体２および第２筐体３の連結される側と反対側（開閉側）の端部２ｂ、３ｂの位置も閉状態で互いに一致する。
【００１４】
第１筐体２は正面に操作部５を備えている。操作部５には、テンキーボタン５ａ等の携帯電話機１を操作するための各種ボタン（押圧部）が配置されている。また、第１の筐体２内には第１の電気／音響変換手段としてのマイクロフォンを内蔵すると共に、操作部５には、前記マイクロフォンにユーザーの音声等を集音するための開口部６がテンキーボタン５ａの配置領域に設けられている。なお、開口部６には、第１筐体２内へ塵が侵入するのを防止する等の目的で保護膜が設けられていてもよい。
【００１５】
第２筐体３には、正面に画像等を表示するメイン表示部（第１表示部）７と、その背面に画像を表示するサブ表示部（第２表示部）８とが、それぞれ各面に設けられている。サブ表示部８を露出させるための背面側ケース３ｄの開口窓は円形に形成されている。メイン表示部７およびサブ表示部８は、たとえば透過型または反射型の液晶表示ディスプレイによって構成される。なお、ディスプレイには有機ＥＬ等、他のデバイスを用いてもよい。
【００１６】
また、第２筐体３の背面には、サブ表示部８の動作を制御するための押しボタン（押圧部材）９が設けられる。押しボタン９は、たとえば樹脂や硬質のゴムにより構成され、背面側ケース３ｄのサブ表示部８配置面に対して垂直方向に移動可能に配置される。
【００１７】
このように、第１筐体２の端部２ａと、第２筐体３の端部３ａとを連結部（ヒンジ部）４により回動可能に連結することにより、開閉可能に構成された本実施形態の携帯電話機１においては、第１筐体２の端部２ｂ側の内部に送受信アンテナ１０が内蔵されている。また、第２筐体３の端部３ｂに第２の電気／音響変換手段としてのスピーカ１１が内蔵される。
そして、本実施形態においては、第１筐体２と第２筐体３が閉状態にある場合に、アンテナ１０は第２筐体３の端部３ｂに配置される電気／音響変換手段としてのスピーカ１１の近傍に対向して配置され、開状態にある場合にはアンテナ１０はスピーカ１１と離れて配置される。
【００１８】
上述したように、第１筐体２と第２筐体３は、連結部４により開閉可能に連結されるが、後で詳述するように、本実施形態の第１筐体２と第２筐体３は内部にグランド導体層が形成された回路基板をそれぞれ有している。
そして、第１筐体２と第２筐体３内に配置され回路基板のグランド導体層同士を、連結部４内を通したグランド導体、具体的には信号線を絶縁体で被覆した細線同軸ケーブルにより接続している。
そして、本実施形態の連結部４は、図３に模式的に示すように、一部に導電部材４ａを含み、グランド導体としての細線同軸ケーブル１２が導電部材４ａに接触するように構成されている。
【００１９】
このように、連結部４に導電部材４ａを設け、この導電部材４ａにグランド導体としての細線同軸ケーブル１２を接触するようにした理由について、図３および図４に関連付けて説明する。
【００２０】
通常、折り畳み型の携帯端末装置としての携帯電話機の場合、第１筐体２と第２筐体３を接続するためにフレキシブル配線基板や細線同軸ケーブルを使用する。
そして、本実施形態のように、第１筐体２にアンテナ１０が内蔵されている場合、開いた状態では第１筐体２と第２筐体３間を高周波電流がスムーズに流れるかどうかでアンテナ利得が大きく変わってくる。
本実施形態のように、連結部４に導電部材４ａを設け、この導電部材４ａにグランド導体としての細線同軸ケーブル１２を接触するような構成を有していない場合、アンテナ１０から見たとき、図４中に示す矢印のように高周波電流が流れる。たとえば第１筐体２側のコネクタＣＮＴ１から回路基板Ｄの上端までの間に高周波電流が流れ、これが第２筐体３への流れを妨げており、この部分がロスとなり、アンテナ利得が落ちる要因となると考えられる。
【００２１】
これに対して、本実施形態のように、連結部４に導電部材４ａを設け、この導電部材４ａにグランド導体としての細線同軸ケーブル１２を接触するような構成とした場合、図３に示すように、高周波的にケーブル１２が連結部４の上端部から始まっているように見え、高周波電流が図４の場合と異なり、スムーズに第３筐体３に流れる。このように、高周波電流がスムーズに流れることによりアンテナ利得が向上すると考えられる。
連結部４とケーブル１２とは直接導通していなくともよく（細線同軸ケーブル１２の外皮は絶縁体である）、密着（接触）していれば高周波電流は流れ、アンテナ利得を上げることが可能である。
【００２２】
以上の構成としては、模式的に示すと、たとえば図５、図６、図７に示すような構成を採用することが可能である。
【００２３】
図５の構成は、ケーブル１２が通る連結部４に金属部品４ａを用い、金属部品４ａと回路基板３１のグランド導体層に接続されたシールドケース３２とを接続させて導通をとる。この場合、連結部４とシールド基板３２との導通を確実にするために板ばね等を用いることも可能である。
【００２４】
図６の構成は、回路基板３１のグランド導体層に接続されたシールドケース３２を連結部４内まで延設して、延設した部分に沿ってケーブル１２を通し、ケーブル１２を延設したシールドケース３２と接触させる。
【００２５】
図７の構成は、シールドケース３２とグランド導体層で接続された回路基板３１を連結部４内まで延設して、延設した基板端部に有するグランド導体層とケーブル１２とを接触させる。
【００２６】
以上、本実施形態の携帯電話機において、端末の開閉によるアンテナ特性の劣化を抑止するための対策について簡略図を参照して説明した。
以下に、端末の開閉によるアンテナ特性の変化量を縮小するための具体的な構造について、図面に関連に付けて説明する。
【００２７】
図８は携帯電話機１の内部構成を閉状態で示す斜視図であり、図９は第１筐体２の内部の構成を示す斜視図である。なお、図８および図９はいずれも構成要素の一部を省略して図示している。
【００２８】
第１筐体２の内部には、高周波回路等の各種回路が配置される回路基板３１と、回路基板３１上に積層され、回路基板３１上の回路から放出されるまたは外部から侵入する電磁波を遮断するためのシールドケース（シールド体）３２（図９参照）と、電波を送受信するための送受信アンテナ部１０とが設けられている。アンテナ部１０は、回路基板３１の端部に設けられており、第１筐体２の端部２ｂの内部に位置する。
【００２９】
回路基板３１は、たとえばパターン層、絶縁層、グランド層、電源層を積層した多層式のプリント基板として構成されている。回路基板３１は、不図示の電池に接続されて電力が供給されている。シールドケース３２は、たとえば樹脂で成形された基部の表面にメッキ処理が施されて形成されており、外表面が導電性を有している。また、シールドケース３２は、回路基板３１に平行な面と、この平行な面から回路基板３１側に延び、平行な面を区画する壁部とを有している。この壁部は回路基板３１に当接し、回路基板３１上の電子部品等はこの壁部間に収納される。
【００３０】
回路基板３１およびシールドケース３２は、第１筐体２を正面側から見て、第１筐体２の略全域に亘って広がるように配置されている。回路基板３１とシールドケース３２とは、たとえば回路基板３１に設けられた貫通孔に挿通される導電性のネジがシールドケース３２に設けられたネジボス（いずれも不図示）に螺合されることにより、互いに固定されるとともに、シールドケース３２と回路基板３１のグランド層とが電気的に接続される。
【００３１】
回路基板３１およびシールドケース３２は、正面側ケース２ｃと背面側ケース２ｄとの固定に伴って第１筐体２内に固定される。すなわち、正面側ケース２ｃと背面側ケース２ｄとは、正面側ケース２ｃの裏側に設けられたネジボス２ｅ、５１ａに、背面側ケース２ｄを貫通するネジ５０１を螺着することにより固定され、一方、回路基板３１およびシールドケース３２には、切り欠き部３１ｂ、３２ｅ、孔部３２ｆが設けられており、これら切欠き部や孔部にネジボス２ｅ、５１ａが嵌め込まれることにより回路基板３１およびシールドケース３２は第１筐体２に固定される。なお、このような第１筐体２への固定に伴って、回路基板３１とシールドケース３２とは一層堅固に固定される。シールドケース３２には、後述するヒンジパーツ５３、５４が固定されるヒンジパーツ固定部３２ｇが連結部４側に突出するように設けられており、孔部３２ｆはヒンジパーツ固定部３２ｇに設けられている。
【００３２】
第２筐体３内部には、メイン表示部７（図１参照）と、メイン表示部７の通電制御等の所定の制御を行うための回路基板４４と、サブ表示部８と、サブ表示部８の通電制御等の所定の制御を行うための駆動部４２と、駆動部４２に接続され、押圧操作に応じて接点の開閉がなされる押圧スイッチ４３とが設けられている。なお、メイン表示部７、回路基板４４、サブ表示部８、駆動部４２、押圧スイッチ４３は、いずれも本発明の第２筐体に設けられた電子部品として機能する。回路基板４４は、たとえば回路基板３１と同様に多層式のプリント基板によって構成される。駆動部４２はたとえばＩＣによって構成される。押圧スイッチ４３上には押しボタン９（図２参照）が配置されており、押しボタン９の押し込み操作により、押圧スイッチ４３は押圧される。
【００３３】
図１０は連結部４を分解して示す斜視図であり、図１１は図１０の状態から一部組み立てた状態を示す斜視図である。
連結部４は、図１０および図１１に示すように、第１筐体２に一体的に設けられた第１ヒンジ部５１と、第２筐体３に一体的に設けられた第２ヒンジ部５２と、連結部材としての第１ヒンジパーツ５３、第２ヒンジパーツ５４とを備えている。
【００３４】
第１ヒンジ部５１は、第１筐体２の正面側ケース２ｃと背面側ケース２ｄとが互いに固定されることにより、正面側ケース２ｃおよび背面側ケース２ｄの端部により形成される。ただし、図１０および図１１では、背面側ケース２ｄを省略して図示している。
第１ヒンジ部５１は、第１筐体２の連結側端部中央に第２ヒンジ部５２を受け入れ可能な凹部２ｆが形成されることにより、連結側端部両側にそれぞれ設けられる。各第１ヒンジ部５１は、第１ヒンジパーツ５３、第２ヒンジパーツ５４にそれぞれ対応する。
凹部２ｆを囲む壁部のうち、第１筐体２および第２筐体３の回転軸に直交する壁部５１ｃには、ヒンジパーツ５３、５４が嵌合する孔部５１ｄが設けられている。
また、正面側ケース２ｃから背面側ケース２ｄ側（図中上方）へ突出するネジボス５１ａ、５１ｂが回転軸に略直交する方向へ略直列に設けられている。
【００３５】
第２ヒンジ部５２は、第２筐体３の正面側ケース３ｃに一体的に設けられている。第２ヒンジ部５２は、正面側ケース３ｃから正面側（図中下方）に突出し、第１筐体２および第２筐体３の回転軸を軸とする略円筒状に形成されている。
第２ヒンジ部５２には、中空部５２ａと、円筒の両端面にて中空部５２ａから筐体外部側へ開口する孔部５２ｃと、円筒の側面にて中空部５２ａから筐体内部側へ開口する孔部５２ｄとが形成されている。
【００３６】
第１ヒンジパーツ５３は、第１筐体２に固定される第１筐体側パーツ５５と、第１筐体側パーツ５５に対して回動可能に設けられ、第２筐体３に固定されるヒンジモジュール５６とを備えている。
第１筐体側パーツ５５は、たとえば金属の一体成形により形成され、第２筐体側パーツ５６は、樹脂などにより形成されて第１筐体側パーツ５５に回転可能に固定される。
【００３７】
第１筐体側パーツ５５は、貫通孔５５ｃを有する第１固定部５５ａと、貫通孔５５ｄを有し、貫通孔の貫通方向への高さが第１固定部５５ａよりも大きい第２固定部５５ｂとを備えている。第１固定部５５ａおよび第２固定部５５ｂは、正面側ケース２ｃ側に開口する箱状に形成されて内部は空洞となっている。
【００３８】
第２固定部５５ｂの高さは、ネジボス５１ｂの高さに第２固定部５５ｂの板厚を加算した高さに略等しく設定されており、図６に示すように、第２固定部５５ｂが正面側ケース２ｃに当接すると、貫通孔５５ｄの背面側にネジボス５１ｂが当接する。
貫通孔５５ｄに挿通されるネジ５０２がネジボス５１ｂに螺合されて、第２固定部５５ｂは正面側ケース２ｃに固定される。
【００３９】
第１固定部５５ａの貫通孔５５ｃにはネジボス５１ａが嵌合する。貫通孔５５ｃから突出したネジボス５１ａは更に、ヒンジパーツ固定部３２ｇ（図９参照）の孔部３２ｆに嵌合する。
そして、上述のように、背面側ケース２ｄを貫通するネジ５０１がネジボス５１ａに螺合される。貫通孔５５ｃ方向への第１固定部の高さと、ヒンジパーツ固定部３２ｇの厚さとを加算した厚さは、第１筐体２の正面側ケース２ｃおよび背面側ケース２ｄの内側面間の距離に略等しく設定されている。
したがって、第１固定部５５ａと、ヒンジパーツ固定部３２ｇとは、ネジ５０１により第１筐体２に共締めされて互いに圧着される。なお、ネジ５０１はたとえば金属により形成され導電性を有している。
【００４０】
第１筐体側パーツ５５は、第２ヒンジ部５２の軸方向へ開口する不図示の孔部を有する摺動部５５ｅを更に備えている。
摺動部５５ｅは中空状に形成されている。摺動部５５ｅの孔部には、この孔部の周方向に、すなわち、第１筐体２および第２筐体３の回動の方向に摺動可能にヒンジモジュール５６が挿入される。
なお、ヒンジモジュールには、携帯電話機１の開閉に伴ってクリック感を生じさせるための付勢手段あるいはカム機構等の各種手段が設けられる。
【００４１】
ヒンジモジュール５６は、第２ヒンジ部５２の中空部５２ａに孔部５２ｃを介して挿入される挿入部５６ａを備えている。第２ヒンジ部５２の軸方向への挿入部５６ａの長さは、第２ヒンジ部５２の長さの半分あるいはそれよりも若干短く設定されている。挿入部５６ａは略円柱状に形成されている。挿入部５６ａには、第２ヒンジ部５２の軸方向に延びる不図示の溝部が設けられており、この溝部が、第２ヒンジ部５２に設けられ、中空部５２ａへ突出するとともに軸方向に延びる突条部５２ｂに嵌合して、ヒンジモジュール５６の第２ヒンジ部５２に対する周方向への移動が規制される。
【００４２】
第２ヒンジパーツ５４は、基部５７と、該基部５７に嵌入される摺動部５８とを備えている。基部５７は、金属により形成され、摺動部５８はプラスチックや硬質樹脂により形成されている。
【００４３】
基部５７は、第１ヒンジパーツ５３の第１筐体側パーツ５５と同様に、貫通孔５７ｃを有する第１固定部５７ａと、貫通孔５７ｄを有し、貫通孔の貫通方向への高さが第１固定部５７ａの高さよりも大きい第２固定部５７ｂとを備え、貫通孔５７ｃ、５７ｄを貫通するネジ５０１、５０２がネジボス５１ａ、５１ｂに螺合されることにより、第１筐体２に固定される。第１固定部５７ａ、第２固定部５７ｂの高さの設定や、第１固定部５７ａと、シールドケース３２のヒンジパーツ固定部３２ｇとがネジ５０１により第１筐体２に共締めされて互いに圧着されることも第１筐体側パーツ５５と同様である。
【００４４】
図１２は第２ヒンジ部５２と第２ヒンジパーツ５４との接続状態を示す分解斜視図であり、図１３は図１２の状態から一部分解して示す分解斜視図である。
【００４５】
基部５７は、第２ヒンジ部５２の孔部５２ｃから中空部５２ａへ挿入される挿入部５７ｅを更に備えている。基部５７に備える挿入部５７ｅは、摺動部５８の孔部５８ａに嵌合し、摺動部５８を介して孔部５２ｃへ挿入される。挿入部５７ｅから第２固定部５７ｂへかけては、第１筐体２の外縁に沿う側に溝部５７ｆが形成されている。
摺動部５８には、孔部５８ａに突出し、溝部５７ｆの挿入部５７ｅ側の位置の縁部に嵌合する突条部５８ｂが設けられており、この突条部５８ｂが溝部５７ｆの縁部に嵌合することにより、孔部５８ａの周方向への摺動部５８の基部５７に対する移動は規制される。摺動部５８は第２ヒンジ部５２の孔部５２ｃに嵌合するとともに、第２ヒンジ部５２の周方向に、すなわち第１筐体２および第２筐体３の回動の方向に摺動可能である。
【００４６】
なお、挿入部５７ｅおよび摺動部５８の第２ヒンジ部５２に挿入される長さは、第２ヒンジ部５２の軸方向長さの１／１０程度である。
【００４７】
溝部５７ｆにより、または溝部５７ｆおよび摺動部５８の孔部５８ａにより、ヒンジパーツ５４内部には、第１筐体２の内部と第２筐体３の内部とを連通する通路５９が形成される。通路５９には、第１筐体２の回路基板３１と、第２筐体３の駆動部４２等の電子部品とを電気的に接続する複数の信号線（接続部材）６１が配置される。
なお、信号線６１は、第２ヒンジ部５２の孔部５２ｃ、５２ｄ、摺動部５８の孔部５８ａに挿通される。また、基部５７に形成される通路５９を溝部５７ｆによって形成しているため、携帯電話機１の組み立ての際には、図１３に示すように、信号線６１を回路基板３１および第２筐体３の電子部品に接続した後でも、基部５７を取り付けることが可能である。
信号線６１は、たとえば金属製の線材を絶縁物で覆った細線同軸ケーブル１２により構成される。
【００４８】
上述したように、第２ヒンジパーツ５４の基部５７等は金属で形成されており、細線同軸ケーブル１２からなる信号線６１の絶縁体からなる外皮が導電部材４ａとして機能する基部５７に接触するように配線される。
したがって、図３に関連付けて説明したように、たとえば高周波的に信号線６１（ケーブル１２）が連結部４の上端部から始まっているように見え、高周波電流が図４の場合と異なり、スムーズに第２筐体３に流れる。このように、高周波電流がスムーズに流れることによりアンテナ利得が向上する。
連結部４と信号線６１（ケーブル１２）の線材とは直接導通していなくともよく、密着（接触）していれば高周波電流は流れ、アンテナ利得を上げることが可能である。
【００４９】
本発明は以上の実施形態に限定されず、種々の態様で実施してよい。本発明は携帯電話機に限られず、ＰＨＳ、ＰＤＡ、ゲームなど種々の電子機器に適用してよい。開閉可能な電子機器は、本実施形態のような折り畳み式のものに限定されない。２以上の筐体が互いに重ね合わされた閉状態と、この閉状態にて互いに対向していた部分のうち少なくとも一部が露出する開状態との間で、各筐体が互いに移動できるように、連結部材により連結されていればよい。したがって、たとえば、第１筐体および第２筐体を互いに対向する面に沿ってスライドさせるように回転させる、いわゆる水平回転式のものも含む。
【００５０】
信号線６１は第１筐体内部の回路基板３１と第２筐体内部の電子部品とを電気的に接続するものであればよく、たとえばフレキシブルプリント配線板であってもよい。導電部材は導電性を有するものであればよく、金網、パンチングメタルに限られない。
【図面の簡単な説明】
【００５１】
【図１】本発明を適用した携帯電話機を開状態で示す外観斜視図である。
【図２】図１の携帯電話機を閉状態で示す外観斜視図である。
【図３】連結部に導電部材を設け、この導電部材にグランド導体としての細線同軸ケーブルを接触させたときの高周波の流れを説明するための概念図である。
【図４】連結部に導電部材を設け、この導電部材にグランド導体としての細線同軸ケーブルを接触させないときの高周波の流れを説明するための概念図である。
【図５】連結部に導電部材を設け、この導電部材にグランド導体としての細線同軸ケーブルを接触するようにした第１の構成例を簡略的に示す図である。
【図６】連結部に導電部材を設け、この導電部材にグランド導体としての細線同軸ケーブルを接触するようにした第２の構成例を簡略的に示す図である。
【図７】連結部に導電部材を設け、この導電部材にグランド導体としての細線同軸ケーブルを接触するようにした第３の構成例を簡略的に示す図である。
【図８】図１の携帯電話機の内部構成の一部を閉状態で示す斜視図である。
【図９】図１の携帯電話機の第１筐体の内部構成の一部を示す斜視図である。
【図１０】図１の携帯電話機の連結部を示す分解斜視図である。
【図１１】図１の携帯電話機の連結部を示す斜視図である。
【図１２】図１の携帯電話機の第２ヒンジ部と第２ヒンジパーツとの接続状態を示す一部分解斜視図である。
【図１３】図１２の状態から第２ヒンジパーツを接続した状態を示す斜視図である。
【符号の説明】
【００５２】
１…携帯電話機、２…第１筐体、３…第２筐体、４…連結部、４ａ…導電部材、１２…細線同軸ケーブル、３１…回路基板、３２…シールド体、４２…電子部品、６１…信号線。
【図１】
2006157283.tif 000003
【図２】
2006157283.tif 000004
【図３】
2006157283.tif 000005
【図４】
2006157283.tif 000006
【図５】
2006157283.tif 000007
【図６】
2006157283.tif 000008
【図７】
2006157283.tif 000009
【図８】
2006157283.tif 000010
【図９】
2006157283.tif 000011
【図１０】
2006157283.tif 000012
【図１１】
2006157283.tif 000013
【図１２】
2006157283.tif 000014
【図１３】
2006157283.tif 000015